(57)【要約】【課題】  海外仕様のコードリールと国内仕様のコードリールとを共通のコードリール収納部に収納することにより、コストダウンを図るとともに、コードリールから発する熱の影響を抑制し得るようにする。【解決手段】  炊飯器本体１内に、海外仕様のコードリール１６Ａと国内仕様のコードリールとを択一選択して縦置き状態で収納するコードリール収納部１７を設けるとともに、該コードリール収納部１７に収納された状態においては前記国内仕様のコードリールの上端が前記海外仕様のコードリール１６Ａの上端より低い位置となるように構成して、コードリール収納部１７に対して海外仕様のコードリール１６Ａあるいは国内仕様のコードリールを択一選択して縦置き状態で収納できるようにしている。【選択図】        図１
2005312613.tif 000002
【特許請求の範囲】
【請求項１】
飯器を内蔵した炊飯器本体と、該炊飯器本体の開口部を密閉閉蓋する蓋体と、前記飯器を加熱する加熱手段とを備えた電気炊飯器であって、前記炊飯器本体内には、海外仕様のコードリールと国内仕様のコードリールとを択一選択して縦置き状態で収納するコードリール収納部を設けるとともに、該コードリール収納部に収納された状態においては前記国内仕様のコードリールの上端が前記海外仕様のコードリールの上端より低い位置となるように構成したことを特徴とする電気炊飯器。
【請求項２】
前記炊飯器本体および蓋体等の骨格をなす部品を、海外仕様と国内仕様とで共通としたことを特徴とする請求項１記載の電気炊飯器。
【請求項３】
前記国内仕様のコードリールを収納するに際しては、前記コードリール収納部には、前記国内仕様のコードリールの位置決めを行う位置決め部材を取り付けるようにしたことを特徴とする請求項１および２のいずれか一項記載の電気炊飯器。
【請求項４】
前記位置決め部材には、前記国内仕様のコードリールの上端部から内方にかけての部分を覆うカバー部を一体に形成したことを特徴とする請求項３記載の電気炊飯器。
【請求項５】
前記カバー部を、前記炊飯器本体内に侵入したおネバを前記国内仕様のコードリールの端子と反対側に誘導する誘導部材として機能するように構成したことを特徴とする請求項４記載の電気炊飯器。
【発明の詳細な説明】
【技術分野】
【０００１】
本願発明は、電気炊飯器に関し、さらに詳しくは海外仕様のコードリールと国内仕様のコードリールとに共通な取付構造を有する電気炊飯器に関するものである。
【背景技術】
【０００２】
一般に、電気炊飯器は、飯器を内蔵した炊飯器本体と、該炊飯器本体の開口部を密閉閉蓋する蓋体と、前記飯器を加熱する加熱手段とを備えて構成されており、前記炊飯器本体の適所には、該加熱手段等へ電源を供給するためのコードリールが配設されている。
【０００３】
従来の電気炊飯器においては、上記コードリールは、炊飯器本体の底部に形成されたコードリール収納部に水平姿勢で収納されることとなっていた（特許文献１参照）。
【０００４】
【特許文献１】実開平８−３８３４８号公報。
【発明の開示】
【発明が解決しようとする課題】
【０００５】
近年、外国においても電気炊飯器を使用することが普及してきているが、海外と国内とでは、使用電圧が相異している（例えば、国内：１００Ｖ、海外：２００Ｖ）ところから、コードリールのサイズも必然的に相異することとなる（海外仕様のコードリールの方が国内仕様のコードリールより大きくなる）。そのため、国内仕様用として成形されたコードリール収納部に、サイズの大きな海外仕様のコードリールを収納しようとすると、コードリール収納部を形成している成形品の余分な個所を削るという余分な作業が必要となっていた。また、海外仕様専用の金型を用いて作製した専用部品で対応していた。その結果、海外仕様と国内仕様とでは別々の製品として提供せざるを得なかった。
【０００６】
また、電気炊飯器の小型化（特に、高さ寸法の小型化）に対する指向が強くなってきており、上記特許文献１に開示されているように、炊飯器本体の底部に形成されたコードリール収納部に水平姿勢で収納する構成の場合、炊飯器本体の高さ寸法の小型化を図る上でコードリールが障害となってきている。そこで、コードリールを炊飯器本体内の余剰スペースに縦置き状態で配設する試みがなされてきているが、この場合にも、上記した海外仕様と国内仕様との違いに起因する不具合が大きな問題となっている。
【０００７】
本願発明は、上記の点に鑑みてなされたもので、海外仕様のコードリールと国内仕様のコードリールとを共通のコードリール収納部に収納することにより、コストダウンを図るとともに、コードリールから発する熱の影響を抑制し得るようにすることを目的としている。
【課題を解決するための手段】
【０００８】
本願発明では、上記課題を解決するための第１の手段として、飯器を内蔵した炊飯器本体と、該炊飯器本体の開口部を密閉閉蓋する蓋体と、前記飯器を加熱する加熱手段とを備えた電気炊飯器において、前記炊飯器本体内に、海外仕様のコードリールと国内仕様のコードリールとを択一選択して縦置き状態で収納するコードリール収納部を設けるとともに、該コードリール収納部に収納された状態においては前記国内仕様のコードリールの上端が前記海外仕様のコードリールの上端より低い位置となるように構成している。
【０００９】
上記のように構成したことにより、コードリール収納部に対して海外仕様のコードリールあるいは国内仕様のコードリールを択一選択して縦置き状態で収納できることとなり、従来のようにコードリール収納部の成形品を削ったり、専用部品を作製する必要がなくなり、大幅なコストダウンを図ることができるとともに、成形品の削りカスによる製品不良も生じなくなる。また、使用電圧の違いに起因して、国内仕様のコードリールの発熱量の方が海外仕様のコードリールの発熱量より大きくなるが、国内仕様のコードリールの上端が海外仕様のコードリールの上端より低い位置となっているため、炊飯器本体内の上方に溜まる熱に対して有利となる。
【００１０】
本願発明では、さらに、上記課題を解決するための第２の手段として、上記第１の手段を備えた電気炊飯器において、前記炊飯器本体および蓋体等の骨格をなす部品を、海外仕様と国内仕様とで共通とすることもでき、そのように構成した場合、海外仕様のものと国内仕様のものとで別構成とする必要がなくなり、よりコストダウンを図り得る。
【００１１】
本願発明では、さらに、上記課題を解決するための第３の手段として、上記第１又は第２の手段を備えた電気炊飯器において、前記国内仕様のコードリールを収納するに際しては、前記コードリール収納部に、前記国内仕様のコードリールの位置決めを行う位置決め部材を取り付けるようにすることもでき、そのように構成した場合、国内仕様のコードリールを位置決め部材により所定の位置に位置決めできることとなり、確実な位置決めができる。
【００１２】
本願発明では、さらに、上記課題を解決するための第４の手段として、上記第３の手段を備えた電気炊飯器において、前記位置決め部材に、前記国内仕様のコードリールの上端部から内方にかけての部分を覆うカバー部を一体に形成することもでき、そのように構成した場合、カバー部が遮熱部材として機能することとなり、炊飯時に発生する熱のコードリールへの熱影響を防止できる。
【００１３】
本願発明では、さらに、上記課題を解決するための第５の手段として、上記第４の手段を備えた電気炊飯器において、前記カバー部を、前記炊飯器本体内に侵入したおネバを前記国内仕様のコードリールの端子と反対側に誘導する誘導部材として機能するように構成することもでき、そのように構成した場合、炊飯器本体内に侵入したおネバがコードリールの端子側へ流れ落ちることがなくなり、安全性が向上する。
【発明の効果】
【００１４】
本願発明の第１の手段によれば、飯器を内蔵した炊飯器本体と、該炊飯器本体の開口部を密閉閉蓋する蓋体と、前記飯器を加熱する加熱手段とを備えた電気炊飯器において、前記炊飯器本体内に、海外仕様のコードリールと国内仕様のコードリールとを択一選択して縦置き状態で収納するコードリール収納部を設けるとともに、該コードリール収納部に収納された状態においては前記国内仕様のコードリールの上端が前記海外仕様のコードリールの上端より低い位置となるように構成して、コードリール収納部に対して海外仕様のコードリールあるいは国内仕様のコードリールを択一選択して縦置き状態で収納できるようにしたので、従来のようにコードリール収納部の成形品を削ったり、専用部品を作製する必要がなくなり、大幅なコストダウンを図ることができるとともに、成形品の削りカスによる製品不良も生じなくなるという効果がある。また、使用電圧の違いに起因して、国内仕様のコードリールの発熱量の方が海外仕様のコードリールの発熱量よりおおきくなるが、国内仕様のコードリールの上端が海外仕様のコードリールの上端より低い位置となっているため、炊飯器本体内の上方に溜まる熱に対して有利となるという効果もある。
【００１５】
本願発明の第２の手段におけるように、上記第１の手段を備えた電気炊飯器において、前記炊飯器本体および蓋体等の骨格をなす部品を、海外仕様と国内仕様とで共通とすることもでき、そのように構成した場合、海外仕様のものと国内仕様のものとで別構成とする必要がなくなり、よりコストダウンを図り得る。
【００１６】
本願発明の第３の手段におけるように、上記第１又は第２の手段を備えた電気炊飯器において、前記国内仕様のコードリールを収納するに際しては、前記コードリール収納部に、前記国内仕様のコードリールの位置決めを行う位置決め部材を取り付けるようにすることもでき、そのように構成した場合、国内仕様のコードリールを位置決め部材により所定の位置に位置決めできることとなり、確実な位置決めができる。
【００１７】
本願発明の第４の手段におけるように、上記第３の手段を備えた電気炊飯器において、前記位置決め部材に、前記国内仕様のコードリールの上端部から内方にかけての部分を覆うカバー部を一体に形成することもでき、そのように構成した場合、カバー部が遮熱部材として機能することとなり、炊飯時に発生する熱のコードリールへの熱影響を防止できる。
【００１８】
本願発明の第５の手段におけるように、上記第４の手段を備えた電気炊飯器において、前記カバー部を、前記炊飯器本体内に侵入したおネバを前記国内仕様のコードリールの端子と反対側に誘導する誘導部材として機能するように構成することもでき、そのように構成した場合、炊飯器本体内に侵入したおネバがコードリールの端子側へ流れ落ちることがなくなり、安全性が向上する。
【発明を実施するための最良の形態】
【００１９】
以下、添付の図面を参照して、本願発明の好適な実施の形態について説明する。
【００２０】
この電気炊飯器は、図１および図２に示すように、内部に炊飯用の飯器３を収納し得るように構成され且つ空間部４を有する二重構造の炊飯器本体１と、該炊飯器本体１の上部開口を開閉自在に密閉覆蓋する蓋体２とを備えている。
【００２１】
前記炊飯器本体１は、外側壁５ａおよび底部５ｂを構成する合成樹脂製の外郭体５と、内周面を構成し且つその内底部に前記飯器３の底部を加熱する電気ヒータ８を配設してなる金属製の保護枠７と、該保護枠７の上端と前記外郭体５の上端とを連結する合成樹脂製の肩部材６とにより構成されている。図示の場合、外郭体５の外側壁５ａと肩部材６とは合成樹脂の一体成形品で構成され、外郭体５の外側壁５ａと底部５ｂとは別体構成とされているが、外郭体５の外側壁５ａと底部５ｂとを合成樹脂の一体成形品で構成し、肩部材６を外郭体５と別体構成とする場合もある。前記外郭体５、肩部材６および保護枠７に囲まれて前記空間部４が形成されている。前記保護枠７内には、前記飯器３が取り出し可能に収納されることとなっている。なお、外郭体５の外側壁５ａを板金製とし、外郭体５の底部５ｂおよび肩部材６を合成樹脂製とする場合もある。
【００２２】
前記電気ヒータ８は、熱良導体からなる熱盤９と該熱盤９に埋設された発熱体（例えば、シーズヒータ）１０とからなっている。
【００２３】
前記熱盤９の中央部には、飯器温度を検出するための温度検出手段として作用するセンタセンサー１１を臨ませるためのセンサー穴１２が形成されている。
【００２４】
前記肩部材６における反ヒンジ側（即ち、蓋体２をロックするロック機構１３が設けられている側）には、各種スイッチ（例えば、炊飯スイッチ、予約スイッチ、保温スイッチ等）および液晶表示部を備えた操作パネル部１４とその操作基板１４ａとが設けられている。符号１５は前記空間部４における前部側に配設された電源基板、１６Ａ，１６Ｂは外郭体と保護枠７との間の空間部４における後部側（換言すれば、ヒンジ側）に縦置き状態で収納配置される海外仕様あるいは国内仕様のコードリール、１７はコードリール１６Ａあるいは１６Ｂを収納するコードリール収納部である。
【００２５】
一方、前記蓋体２は、外面を構成する合成樹脂製の上板１８と、内面外周部を構成するドーナツ形状の合成樹脂製の下板１９と、該下板１９の内側口縁に取り付けられた放熱板２０とによって構成されている。該放熱板２０は、アルミ合金等の熱良導体からなっており、その上面には、蓋ヒータ２１が設けられている。
【００２６】
この蓋体２は、前記肩部材６（換言すれば、炊飯器本体１）の一側（即ち、背面側）に枢支されたヒンジピン２２を介して炊飯器本体１に対して弧回動自在に取り付けられている。そして、前記蓋体２におけるヒンジピン２２よりの位置には、蒸気通路２３を有する調圧筒２４が着脱自在に取り付けられている。符号２５は蒸気排出口である。
【００２７】
ついで、コードリール収納部１７の構造について、図３および図４を参照して詳述する。
【００２８】
前述したように、海外と国内とでは、使用電圧が相異している（例えば、国内：１００Ｖ、海外：２００Ｖ）ところから、コードリールのサイズも必然的に相異することとなる（海外仕様のコードリール１６Ａの方が国内仕様のコードリール１６Ｂより大きくなる）。  そこで、本実施の形態においては、炊飯器本体１を構成する外郭体５の内面側には、コードリール収納部１７が形成されている。該コードリール収納部１７は、海外仕様のコードリール１６Ａあるいは国内仕様のコードリール１６Ｂを収納可能とされている。
【００２９】
前記コードリール収納部１７は、図３および図４に示すように、前記外郭体５の底部５ｂに形成されたコードリール受け部２６と、前記外郭体５の胴部５ａの内面に一体に形成され、海外仕様のコードリール１６Ａの上面が当接される２個の位置決め用リブ２７，２７と、前記肩部材６から垂設され、海外仕様のコードリール１６Ａの上面および外面（即ち、外郭体胴部５ａ側）と係合する３本の位置決め用リブ２８，２８，２８と、前記肩部材６から垂設され、海外仕様のコードリール１６Ａの両側面と係合する２本の位置決め用リブ２９，２９とからなっている。前記位置決め用リブ２８，２８，２８に比べて前記位置決め用リブ２９，２９が長くされており、該位置決め用リブ２９，２９には、後述するように国内仕様のコードリール１６Ｂの上端部を位置決めする位置決め部材３０を下方から係合させる部材としても機能することとなっている。
【００３０】
前記位置決め部材３０は、図５に示すように、国内仕様のコードリール１６Ｂの上半面に当接される半円形状の位置決め主体３０ａと、該位置決め主体３０ａの両端に一体に形成された断面Ｌ字状の係合部３０ｂ，３０ｂと、前記位置決め主体３０ａにおける内面側にあって国内仕様のコードリール１６Ｂの内面を覆うカバー部３０ｃとからなっており、前記係合部３０ｂ，３０ｂを前記位置決め用リブ２９，２９の下端に下方から係合させることにより、位置決め部材３０が所定位置に位置決めされることとなっている。符号３１は位置決め主体３０ａにおける外面側の所定位置に形成された切欠部であり、該切欠部３１には、国内仕様のコードリール１６Ａを外郭体５の胴部５ａ内面に固定するための固定部３２Ｂが挿入される（図４参照）。
【００３１】
上記構成において、海外仕様のコードリール１６Ａは、図３に示すように、コードリール１６Ａの下端部（即ち、電源コード３３Ａの引き出し口側）をコードリール受け部２６に当接した状態で、その上端部を位置決め用リブ２７，２７に当接して位置決めすることにより、コードリール収納部１７に収納配設される。この時、コードリール１６Ａの両側面は、位置決め用リブ２９，２９に当接位置決めされることとなる。
【００３２】
一方、国内仕様のコードリール１６Ｂは、コードリール１６Ｂの下端部（即ち、電源コード３３Ｂの引き出し口側）をコードリール受け部２６に当接し、コードリール１６Ｂの上部に位置決め部材３０をそのカバー部３０ｃが内側に向かう（換言すれば、保護枠７と対向する）ようにして被せ、位置決め部材３０の係合部３０ｂ，３０ｂを位置決め用リブ２９，２９の下端に対して下方から係合させることにより、コードリール収納部１７に収納配設される。この場合、海外仕様のコードリール１６Ａと国内仕様のコードリール１６Ｂとは、電源コード３３Ａ，３３Ｂの引き出し口の位置は同じとされるが、上端の位置は海外仕様のコードリール１６Ａより国内仕様のコードリール１６Ｂの方が低位置とされる。
【００３３】
上記したように、予じめサイズの大きな海外仕様のコードリール１６Ａが収納できる大きさのコードリール収納部１７を形成しておき、該コードリール収納部１７に対して海外仕様のコードリール１６Ａあるいは国内仕様のコードリール１６Ｂを択一選択して縦置き状態で収納できるようにしたので、従来のようにコードリール収納部の成形品を削ったり、専用部品を作製する必要がなくなり、大幅なコストダウンを図ることができるとともに、成形品の削りカスによる製品不良も生じなくなる。また、使用電圧の違いに起因して、国内仕様のコードリール１６Ｂの発熱量の方が海外仕様のコードリール１６Ａの発熱量より大きくなるが、国内仕様のコードリール１６Ｂの上端が海外仕様のコードリール１６Ａの上端より低い位置となっているため、炊飯器本体１内の上方に溜まる熱に対して有利となる。
【００３４】
また、コードリール収納部１７に対して国内仕様のコードリール１６Ｂを収納する際には、位置決め部材３０をコードリール１６Ｂの上部に被せるだけでよく、炊飯器本体１および蓋体２等の骨格をなす部品を、海外仕様と国内仕様とで共通とするようになっているので、海外仕様のものと国内仕様のものとで別構成とする必要がなくなり、よりコストダウンを図り得る。なお、骨格をなす部品とは、蓋体、飯器、保護枠、電気ヒータ、外郭体等である。
【００３５】
また、前記位置決め部材３０には、前記国内仕様のコードリール１６Ｂの上端部から内方にかけての部分を覆うカバー部３０ｃが一体に形成されているため、該カバー部３０ｃが遮熱部材として機能することとなり、コードリール１６Ｂへの熱影響を防止できる。
【００３６】
ところで、前記カバー部３０ｃを、前記炊飯器本体１内に侵入したおネバを前記国内仕様のコードリール１６Ｂの端子と反対側に誘導する誘導部材として機能するように構成する（例えば、位置決め主体３０ａをカバー部３０ｃ側に傾斜させる）こともできる。その場合、炊飯器本体１内に侵入したおネバがコードリール１６Ｂの端子側へ流れ落ちることがなくなり、安全性が向上する。
【００３７】
上記実施の形態においては、熱盤式の電気ヒータを加熱手段として用いたものについて説明したが、本願発明は、電磁誘導コイルを加熱手段として用いたものにも適用可能なことは勿論である。
【図面の簡単な説明】
【００３８】
【図１】本願発明の実施の形態にかかる電気炊飯器の海外仕様のコードリールを組み込んだ状態を示す縦断面図である。
【図２】本願発明の実施の形態にかかる電気炊飯器の国内仕様のコードリールを組み込んだ状態を示す縦断面図である。
【図３】本願発明の実施の形態にかかる電気炊飯器の海外仕様のコードリールを組み込んだ状態を示す要部正面図である。
【図４】本願発明の実施の形態にかかる電気炊飯器の国内仕様のコードリールを組み込んだ状態を示す要部正面図である。
【図５】本願発明の実施の形態にかかる電気炊飯器の国内仕様のコードリールを組み込む際に使用される位置決め部材の斜視図である。
【符号の説明】
【００３９】
１は炊飯器本体
２は蓋体
３は飯器
８は電気ヒータ
１６Ａは海外仕様のコードリール
１６Ｂは国内仕様のコードリール
１７はコードリール収納部
３０は位置決め部材
３０ａは位置決め主体
３０ｂは係合部
３０ｃはカバー部
【図１】
2005312613.tif 000003
【図２】
2005312613.tif 000004
【図３】
2005312613.tif 000005
【図４】
2005312613.tif 000006
【図５】
2005312613.tif 000007